Podtech/llm-jp-corpus-v4-ja_patent huggingface dataset:
(57)【要約】【課題】本考案はイベント会場などの不特定多数の人が集まる場所に見られるゴミのポイ捨てを防止するために、出来るだけ多くのゴミ収集袋を随所に設置することを目的としたものである。【解決手段】本考案は、支柱と台座環と袋保持環の３点のパーツを組み立てるだけで、袋保持台をいつでも、何処にでも必要に応じて即、提供できる様にした、小型で軽量で安価なゴミ収集用具と、これに用いる専用のゴミ袋の提供である。【選択図】図１
0003131980.tif 000002
【実用新案登録請求の範囲】
【請求項１】
本考案のゴミ袋保持台は、着脱自在の専用のゴミ袋を保持するために複数の爪を設けた袋保持環と台座環にそれぞれ設けられたスライド枠に支柱を挿入し、支柱の最下端には台座環を蝶ねじで固定して支柱を支え、ゴミ袋保持環は使用する専用のゴミ袋の縦長の寸法に合わせ、高さを調節して蝶ねじで固定して成るゴミ袋保持台の構造
【請求項２】
樹脂製で長方形のフィルムを２重にして外側部を融着し、袋状になった長方形の中央部を略Ｖ字状に裁断し、袋の上端のＶ字状の付け根より胴部方向に数センチ入った所に円周に沿って複数個の爪穴の切り込みを設けた、請求項１に記載のゴミ袋保持台専用のゴミ袋の構造
【考案の詳細な説明】
【技術分野】
【０００１】  本考案は、台座環と袋保持環と支柱の３点を組み合わせて成る、ゴミ袋保持台にゴミ袋を装着した、軽量で移動が簡単なゴミ収集装置に関するものである。
【背景技術】
【０００２】  多くの人が集まるイベントなど臨時の特設会場には、大きくて重いゴミ箱が会場の片隅に２．３個設置されているだけであり、そのため心ない来場者の中にはつい身近な物陰にゴミをポイ捨てする者がいるので、会場の清掃に余分な人手が掛かり当然のことながら催事費用も嵩むことになる。
【考案の開示】
【考案が解決しようとする課題】
【０００３】  しかしながらこのような方法では、環境の美化と経費の節約には相反するものがあり、この課題を解決するには来場者の便宜を計らなければならない、そのためにはゴミ箱を随所に設置すればよいが、従来のような大きくて重い定置式のようなものでは経費が嵩むだけであり問題の解決にはならない。【０００４】  そこで、本考案のゴミ袋保持台は軽量で組み立て解体が容易で移動がしやすく、しかも安価であるため多数のゴミ収集箇所を随所に設けて、ゴミのポイ捨てを防止し環境美化に役立てることで、前述の欠点を解決しようとするものである。
【課題を解決するための手段】
【０００５】  本考案は、台座環と袋保持環と支柱の３点のパーツから成る極めて簡素なものであり、解体されたパーツを現地において支柱を軸に台座環と袋保持環を装着して組み立て、専用のゴミ袋を装着すれば、即完成品として機能するので必要に応じて随所に設置でき移動も容易にできるようにしたことで問題点を解決した。
【考案の効果】
【０００６】  上述のように、本考案のゴミ袋保持台は素人でも簡単に組み立てができ、組み立てたゴミ袋保持台の袋保持環に専用のゴミ袋を装着するだけで、ゴミ袋は大きく開口し客は歩きながらでもゴミを投入できるので、ゴミのポイ捨てを防止できると同時にゴミ袋が満杯になったときは、予め袋に形成されているＶ字状紐部を両側から引き寄せて結び合わせれば、袋の口は閉じられるので、そのまま集積所へ運べばよい、従ってゴミの収集作業も従来のようにゴミ箱から袋に移し替える手間が省ける効果がある。
【考案を実施するための最良の形態】
【０００７】  台座環に設けられた支持枠に支柱の一端を挿入し、支柱を垂直に立てた状態で蝶ねじを締めて固定し、支柱が安定したところで袋保持環のスライド枠を嵌挿し、ゴミ袋の縦長の寸法に合わせて高さを調節して蝶ねじを締めて固定すればゴミ袋保持台が完成する、そこで袋保持環に設けられた袋保持用の爪に専用のゴミ袋の爪穴を引っかけ、ゴミ袋の口を開口して任意の場所に設置すればよい。【０００８】  本考案にかかる専用のゴミ袋は袋の開口部の上端に袋の口を閉じるために、略Ｖ字状に形成された紐部が設けられており、このＶ字状紐部の付け根より胴部方向に数センチ入った所に複数の爪穴が設けてある。しかも、この爪穴の間隔は袋保持環に設けられた爪の間隔に合致するように、切り込みとして設けられている。
【実施例】
【０００９】  以下、添付図面に従って実施例を説明する。１は本考案の主軸をなす支柱、２は支柱を支える支持枠、３は袋保持環の高さを調節するためのスライド枠、４は支柱を保持し安定を保つための台座環、５はゴミ袋を引っかけて袋の口を開けて袋を保持するための袋保持環、６は専用のゴミ袋を引っかけて保持するための爪、７はゴミを収納する袋、８はＶ字状紐部、９は袋保持環の爪に引っかけるための爪穴である、１０は支持枠とスライド枠を支柱に固定するための蝶ネジ。【０００１０】  図１は、本考案の請求項１に記載するゴミ袋保持台の実施例を示す斜視図であり、台座環４の一端に設けた支持枠２に支柱１の一端を挿入し地面に垂直に立てて台座環４と支柱１が一体になるよう蝶ネジ１０で締め付けて固定する。【００１１】  台座環４によって垂直に保たれた支柱１に袋保持環５のスライド枠３を嵌挿しゴミ袋７の縦長の寸法に合わせて袋保持環５の高さを調節し、蝶ネジ１０で締め付け固定してゴミ袋保持台を完成させ、図２に示すように袋７を袋保持環５に設けた爪６に引っかけて装着すれば袋の口は大きく開き、即、ゴミ収集に供することができる。【００１２】  図３は請求項２に記載するゴミ袋保持台に用いる専用のゴミ袋で、樹脂製のフィルムを二重にして、長方形で袋２枚分の外側部を融着すると同時にＶ字状紐部８を形成するために袋の中央部で略Ｖ字状に裁断すると、袋を開口したとき同形状の開口部を持つ袋７が２枚出来る裁断方法である。【００１３】  爪穴９はＶ字状紐部８の付け根より胴部方向に数センチ入った所に袋保持環の円周面に沿って設けられた爪９と同じ間隔で裁断時に切り込みを入れれば、１工程で効率よく加工することができ、しかも、本考案によるゴミ袋の構造によれば、製造過程において裁断くずは一切出ない特徴がある。
【図面の簡単な説明】
【００１４】
【図１】本考案のゴミ袋保持台の実施例を示す斜視図である。
【図２】本考案のゴミ袋を装着して実施状態を示す斜視図である。
【図３】本考案のゴミ袋の制作過程の実施例示す平面図である。
【図４】本考案のゴミ袋を裁断して２に分離した実施例を示す平面図である。
【図５】本考案のゴミ袋の開口状態の実施例を示す斜視図である。
【符号の説明】
【００１５】      １  支柱
２  支持枠
３  スライド枠
４  台座環
５  袋保持環
６  爪
７  袋
８  Ｖ字状紐部
９  爪穴
１０  蝶ネジ
【図１】
0003131980.tif 000003
【図２】
0003131980.tif 000004
【図３】
0003131980.tif 000005
【図４】
0003131980.tif 000006
【図５】
0003131980.tif 000007
(57)【要約】【課題】ファンデーションをつけるスポンジの為の使い易い水付け容器の提供。【解決手段】半径Ｒが６０ｍｍ〜１７０ｍｍの球（１０）の球面（１１）を一つの平面（Ｐ）によりカットした、小円（２０）を底面（２２）として、該底面を接地面の反対側すなわち上向きとした球冠形状（３０）であり、該球冠（３０）の高さ（ｈ）は前記球（１０）の半径（Ｒ）よりも小さく、そして、前記底面（２２）の直径は２２ｍｍ〜１００ｍｍで、球面の厚さが１ｍｍ〜３ｍｍである球面レンズブランクを使用し加工した樹脂製の容器の提供。【選択図】図１
0003131960.tif 000002
【実用新案登録請求の範囲】
【請求項１】
６０ｍｍ〜１７０ｍｍの半径の球の球面を一平面によりカットした、小円を底面とし該底面を接地面の反対側とした球冠形状であり、該球冠の高さが前記球の半径より小で、前記底面の直径が２２ｍｍ〜１００ｍｍで前記球面の厚さが１ｍｍ〜３ｍｍである樹脂製である事を特徴とする容器。
【請求項２】
前記容器が球面レンズブランクを使用し加工した事を特徴とする請求項１記載の容器。
【請求項３】
前記容器が化粧用のスポンジ用の水付け用の小皿である事を特徴とする請求項１又は２に記載の容器。
【考案の詳細な説明】
【技術分野】
【０００１】  本考案は樹脂製の容器に関する。特に化粧用のスポンジ用の水付け用の小皿に関する。
【背景技術】
【０００２】  従来より、化粧品の容器としては、特開２００１−２５０６３８号の図１の様に、スポンジ収納部とファンデーション入れ、鏡をセットにした物が一般的に用いられてきた。しかしながら、スポンジに少量の水を含ませてファンデーション等を付ける場合には、水道等の蛇口の前に行き蛇口を捻ってスポンジに水を掛け、絞って持って来るという面倒な動作をするか、或いは、コップ状又は箱状の容器に水を入れてスポンジを浸すようにしてファンデーション等でメークアップを行う事がなされてきた。【０００３】
【特許文献１】特開２００１−２５０６３８号
【考案の開示】
【考案が解決しようとする課題】
【０００４】  しかしながら、いちいち水道等の所に行くのは手間が掛かる。一回で済めば良いが何回も湿り具合を調整する場合は大変である。又コップや箱状の容器に水を入れた場合に於いては、スポンジの所望の部分に少し水を湿らせたい場合や、全体に軽く水を湿らせたい場合、思う様には行かなかった。又、両方とも必要以上に水を使用し無駄が多かった。
【課題を解決するための手段】
【０００５】  そこで本考案に於いては、上記課題を解決する為に、６０ｍｍ〜１７０ｍｍの半径の球の球面を一平面によりカットした、小円を底面とし該底面を接地面の反対側とした球冠形状であり、該球冠の高さが前記球の半径より小で、削記底面の直径が２２ｍｍ〜１００ｍｍで前記球面の厚さが１ｍｍ〜３ｍｍである樹脂製の容器を化粧用のスポンジ用の水付け用の小皿として、球面レンズブランクを使用し加工する事により解決を図った。
【考案の効果】
【０００６】  本考案により、従来から使用されている球面レンズブランク用の金型を使用し安価に化粧用のスポンジ用水受けを提供可能となった。又、所望の量の水を、本考案の容器に少し入れるだけで済み、無駄が無くなった。そして、必要なスポンジの場所に必要な量だけを含ませる事が簡単に出来るようになった。
【考案を実施するための最良の形態】
【０００７】  球面レンズブランクを使用し、６０ｍｍ〜１７０ｍｍの半径の球の球面を一平面によりカットした、小円を底面とし該底面を接地面の反対側とした球冠形状であり、該球冠の高さが前記球の半径より小で、前記底面の直径が２２ｍｍ〜１００ｍｍで前記球面の厚さが１ｍｍ〜３ｍｍである樹脂製の化粧用のスポンジ用の水付け用の小皿。
【実施例１】
【０００８】  図１は本考案の説明用の斜視図であり、半径Ｒが６０ｍｍ〜１７０ｍｍの球１０の球面１１を一つの平面Ｐによりカットした、小円２０を底面２２として、該底面を接地面の反対側すなわち上向きとした球冠形状３０であり、該球冠３０の高さｈは前記球１０の半径Ｒよりも小さく、そして、前記底面２２の直径は２２ｍｍ〜１００ｍｍで、球面の厚さが１ｍｍ〜３ｍｍである樹脂製の容器であり、球面レンズブランクを利用して滑らかな曲面により形成されている。又、球面の構造により水の量も非常に少なくてすむ。【０００９】  図２は、図１の理論から作られた球面レンズブランクを使用し加工された容器、すなわち化粧用のスポンジ用水付け用の小皿の斜視図であり、縁３１の加工、すなわち面取りや、装飾用の加工がされても良い。又、表裏面３２，３３はコーティングされても良く、装飾模様が施されても良い。又、材質としては、アクリル、ポリカーボネート、ＡＢＳ樹脂、Ｐ．Ｐ等の樹脂で良い。製造方法に於いては、従来のレンズの金型を使用し射出成型等により行われる。【００１０】  図３は、本考案の容器の断面図にスポンジ４０を手に持ち使用する際の使用図である。スポンジ４０は柔らかい物なので、使用する時は指の力等で裏面４１の様にどうしても曲がり曲面状にならざるを得ず、その曲面に球面がある程度適合するので使い易く、スポンジの適宜箇所に適宜量の水を付ける事が出来る。そして，この後ファンデーションを付けてメイクアップをするわけである。【００１１】  図４は、本考案による球面レンズブランクを使用した容器３５ａの下に安定具５０を置いて使用した場合であり、このような使用法も可能である。
【図面の簡単な説明】
【００１２】
【図１】本考案の説明用斜視図
【図２】本考案の容器に水を入れた斜視図
【図３】本考案の使用図
【図４】本考案の応用例図
【符号の説明】
１０            球
１１            球面
２０            小面
２２            底面
３０            球冠
３５            容器
４０            スポンジ
４１            スポンジ表面
５０            安定具
Ｏ              球の中心
Ｒ              球の半径
Ｐ              一平面
ｈ              球冠の高さ
ｔ              球面の厚さ
Ｗ              水
【図１】
0003131960.tif 000003
【図２】
0003131960.tif 000004
【図３】
0003131960.tif 000005
【図４】
0003131960.tif 000006
(57)【要約】【課題】  喫煙者が容易に自身の喫煙による煙を処理できるようにして周囲の人に煙が及ぶことを防ぐようにして、喫煙者のマナーの向上を目指す。【解決手段】  煙の吸い込み口４と、煙の排出口５と、吸い込み口４と排出口５とを連通する煙流路７と、煙流路７に配置される煙吸い込み用のファン８と、煙流路７に配置される煙フィルター１０とを備えてなる携帯吸煙器。【選択図】図２
0003131959.tif 000002
【実用新案登録請求の範囲】
【請求項１】
煙の吸い込み口と、煙の排出口と、前記吸い込み口と前記排出口とを連通する煙流路と、前記煙流路に配置される煙吸い込み用のファンと、前記煙流路に配置される煙フィルターとを備えてなる携帯吸煙器。
【考案の詳細な説明】
【技術分野】
【０００１】  この考案は携帯吸煙器に関する。
【背景技術】
【０００２】  最近、嫌煙の傾向が強まり、愛煙家には厳しい環境となっている。とくに、話し相手を前にして喫煙する際には、エチケットとしてタバコからの煙をできるだけその人に及ばないように手を遠ざけるような動作が必要となる。
【考案の開示】
【考案が解決しようとする課題】
【０００３】  この考案は、喫煙者が容易に自身の喫煙による煙を処理できるようにして周囲の人に煙が及ぶことを防ぐようにして、喫煙者のマナーの向上を目指すものである。
【課題を解決するための手段】
【０００４】  この考案では、煙の吸い込み口と、煙の排出口と、前記吸い込み口と前記排出口とを連通連する煙流路と、前記煙流路に配置される煙吸い込み用のファンと、前記煙流路に配置される煙フィルターとを備えてなる携帯吸煙器を提供する。【０００５】  上記構成によれば、煙吸い込み用のファンの作動により煙の吸い込み口から煙流路に入ったタバコの煙は、煙フィルターを通過することで浄化されて煙の排出口から排出され、喫煙に際してタバコからの煙をこの携帯吸煙器に吸い込ませることで、周囲の人に煙が及ぶことを回避できる。
【考案の効果】
【０００６】  この考案の携帯吸煙器によれば、喫煙者が容易に自身の喫煙による煙を処理できるようになって周囲の人に煙が及ぶことが防がれるとともに、この携帯吸煙器は喫煙者のマナーの向上に貢献する。
【考案を実施するための最良の形態】
【０００７】  図１はこの考案の携帯吸煙器の第１の実施形態の外観斜視図てあり、図２は同断面構成図である。携帯吸煙器１は機器ケース２の一方側の上面に円形の格子形態の煙吸い込み口４を、他方側端部面の下部に煙排出口５をそれぞれ備えており、機器ケース２内には、煙吸い込み口４から下方へ、さらにケース底部６に沿って煙排出口５に至る煙流路７が設けられている。【０００８】  その煙流路７の煙吸い込口４の下側位置に煙吸い込み用のファン８が設けられ、さらに、その下方に煙フィルター１０が備えられている。煙フィルター１０としは、脱臭用の活性炭粉と芳香剤とが付設されているものを使用する。１２はファン８及びデジタル表示時計２０の駆動用電池で、機器ケース２のケース底部６が取り外されることで取り替えでき、また上記煙フィルター１０の取り替えもできるようになっている。ケース底部６は煙排出口５に至る煙流路７を構成するための仕切り板１５を一体に備えている。１３は操作ボタン、１４は首等への吊り下げ用ひもである。また、機器ケース２の他端側上面にはデジタル表示時計２０が埋設配置されている。【０００９】  以下、上記携帯吸煙器１の使用に際しての動作説明を行う。例えば右手にタバコを持つ場合は、ケース底部６部分を左手の平の上に置くとともに、持ち上げた際に煙吸い込み口４が上方に位置するように、丁度マイクを持つような状態で携帯吸煙器１持ち、操作ボタン１３を左手親指で押す。操作ボタン１３を押すことでファン８が回転し、煙吸い込口４の近くに右手に持ったタバコを近づけることで、タバコからの煙は煙吸い込み口４から煙流路７内に吸い込まれる。煙は煙フィルター１０を通過することで無色となるとともに消臭され、かつ芳香の付された気体となり、その気体はさらにケース底部６に沿う煙流路７内を通過し、煙排出口５から喫煙者側の下方に排出される。また、口からの煙を煙吸い込み口４に吹きかけることでも、上記と同様に使用でき、さらに、卓上に置く状態において使用してもよい。このようして、携帯吸煙器１を用いることでタバコの煙を直接に周囲に発散させることを防止できる。また、デジタル表示時計２０により時刻を確認できるので便利に使用できる。【００１０】  図３はこの考案の携帯吸煙器の第２の実施形態を示し、この実施形態のものでは、機器ケース２の上面に、開閉蓋３０が付設されたタバコ吸い殻の収納部３１を設け、外出時等においてそこに吸い殻を収納できるようにしている。また、ケース底部６の下面に取り付けた係止片３２によりベルト等に係止保持できる構成とされている。その他構成は実施形態１のものと同様である。
【図面の簡単な説明】
【図１】  この考案の携帯吸煙器の第１の実施形態の外観斜視図
【図２】  この考案の携帯吸煙器の第１の実施形態の断面構成図
【図３】  この考案の携帯吸煙器の第２の実施形態の断面構成図
【符号の説明】
１  携帯吸煙器
４  煙の吸い込み口、
５  煙の排出口
７  煙流路
８  煙吸い込み用のファン
１０  煙フィルター
【図１】
0003131959.tif 000003
【図２】
0003131959.tif 000004
【図３】
0003131959.tif 000005
(57)【要約】      （修正有）【課題】パターグローブに関しパットでの左右への引っかけを防ぐため考案されたものであり、特にショートパットでの不安がなくする。【解決手段】グローブの掌親指と人差し指の間のＶ型部に水かき部分を設けることにより壁をつくり手首の折れを防ぐことにした。【選択図】図１
0003131952.tif 000002
【実用新案登録請求の範囲】
【請求項１】
グローブの掌部分の親指と中指の付け根を中心とする間が水かきのようになってるもので湾曲で板状の弾力性のもので凸部を設けてあることを特徴としたグローブ。
【考案の詳細な説明】
【技術分野】
【０００１】ゴルフグローブに関する。
【背景技術】
【０００２】パワーグリップグローブなどは知られている。
【考案の開示】
【考案が解決しようとする課題】
【０００３】パットではまっすぐ打ち出したつもりが手首が折れ左へ引っかけるという欠点があった。
【考案が解決するための手段】
【０００４】グローブの掌部分の親指と中指の付け根中心に板状の厚みのあるもので親指と人差し指の間を水かきのようにしグリップを握りパットすると水かき部分が壁となり手首が左へ折れないようにした。
【考案の実施形態】
【０００５】グローブの掌側の内側または外側に親指と中指の付け根部分に厚みを設けその間を水かきのようになり収縮できるものとすればよい。
材量は合皮、ゴム、繊維でよい。
【考案の効果】
【０００６】グリップの握りに安定感があり肩の振りだけで手首が折れず真直ぐに目標へ打ち出せるようになった。
【図面の簡単な説明】
【０００７】
【図１】  グローブに本考案を取り付け部分を示す平面図である。
【図２】  素手で使用状況を示す立体図である。
【図３】  本考案凸部の高さを示す断面図である。
【図４】  グローブの手の甲側の立体図である。
【符号の説明】
【００１８】  １    グローブ
２    本考案本体
３    グリップ
４    手
【図１】
0003131952.tif 000003
【図２】
0003131952.tif 000004
【図３】
0003131952.tif 000005
【図４】
0003131952.tif 000006
(57)【要約】      （修正有）【課題】紫外線感知滑り止めシートの形状は、インク様分質が剥がれやすい。【解決手段】基材４に３を設ける事によりインク様分質２を保護する。【効果】紫外線インク様分質を保護し、携帯品本体等に取り付けられた本基材は紫外線強弱を表示し、高摩擦係数により机や車のダッシュボードにおいても落下防止効果が発揮できる。【選択図】図１
0003131921.tif 000002
【実用新案登録請求の範囲】
【請求項１】
紫外線感知と落下防止を設けたことを特徴とするシート。
【請求項２】
前期紫外線感知シートは、紫外線により紫外線感知物質が短期間で劣化を防ぐために、紫外線感知物質をスクリーン印刷などで厚膜印刷を施し、長期間機能を維持させる事が出来ることを特徴とする請求項１記載のシート。
【請求項３】
前記紫外線感知物質は紫外線によりインキ様分質の保護する事により、高摩擦係数を付加した物質が落下防止機能を特徴とする請求項１記載のシート。
【請求項４】
携帯電話機、ハンドバック、キーホルダー等携帯品本体と、携帯品本体に取り付けられた紫外線の強弱を表示できる紫外線感知シートからなることを特徴とする請求項１記載のシート。
【請求項５】
シートを、熱融着物質にした場合、衣類、ハンドバック等に熱圧着で固定された紫外線の強弱を表示することが出来ることを特徴とする請求項１記載のシート。
【考案の詳細な説明】
【技術分野】
【０００１】  本考案は紫外線を感知し、インキ様分質を被う形状に関する
【背景技術】
【０００２】  従来の紫外線感知物の形状は、図３に示すように、シート機材１にインキ様分質２が印刷され３に粘着物質が設けられたものである。
【特許文献１】  特開２００５−２４９４７４号
【考案の開示】
【考案が解決しようとする課題】
【０００３】  しかしながら、以上の技術によれば、インキ様分質が剥がれ易い。【０００４】  そこで、この考案は、インク様分質を被い、保護することを提供することを課題とする。
【課題を解決するための手段】
【０００５】  以上の課題を解決するために、第一考案は、シートに被いを設けたことを特徴とするシートである。【０００６】  また、第二考案は、被いしたことにより、落下防止効果もあることを特徴とするシートである。
【考案の効果】
【０００７】  第一考案、第二考案によれば、紫外線感知及び落下防止シートに高摩擦係数をもつ材料を設けた事で、インキ様分質が、剥がれなく、長期間維持できる。
【考案を実施するための最良の形態】
【０００８】  この考案の一実施形態を、図１に示す。【０００９】  シート上面４に紫外線感知のインキ様分質２を施し、シート全面を３高摩擦係数をもつ材料で被い、下面５に粘着物が塗布してある。
【図面の簡単な説明】
【００１０】
【図１】  図１は斜視図
【図２】  図２は断面図図３は特許出願済みの形態
【符号の説明】
【００１１】  １  紫外線
２  紫外線感知インク
３  高摩擦係数を有する物質
４  シート
５  粘着剤
【図１】
0003131921.tif 000003
【図２】
0003131921.tif 000004
【図３】
0003131921.tif 000005
【手続補正書】
【提出日】平成18年6月23日(2006.6.23)
【手続補正１】
【補正対象書類名】実用新案登録請求の範囲
【補正対象項目名】全文
【補正方法】変更
【補正の内容】
【実用新案登録請求の範囲】
【請求項１】
シート上面に紫外線感知のインキ様物質を施し、シート前面を高摩擦係数を持つ材料で被ったシート。
【手続補正２】
【補正対象書類名】明細書
【補正対象項目名】００１０
【補正方法】変更
【補正の内容】
【００１０】
【図１】本実案を実施するための形態の斜視図。
【図２】本実案を実施するための形態の断面図。
【図３】すでに出願されている形態図。
【手続補正書】
【提出日】平成18年10月24日(2006.10.24)
【手続補正１】
【補正対象書類名】実用新案登録請求の範囲
【補正対象項目名】全文
【補正方法】変更
【補正の内容】
【実用新案登録請求の範囲】
【請求項１】
基材シート上面に紫外線感知のインキ類を使用して、任意の紋様をスクリーン印刷等の方法により印刷して設置し、任意の紋様を保護する為に高摩擦係数を持つ材料（ウレタン樹脂等）で、表面張力を利用して、基材シートの上面全体を被ったシート
【手続補正書】
【提出日】平成19年2月13日(2007.2.13)
【手続補正１】
【補正対象書類名】実用新案登録請求の範囲
【補正対象項目名】全文
【補正方法】変更
【補正の内容】
【実用新案登録請求の範囲】
【請求項１】
基材シート上面に紫外線感知のインキ類を使用して、任意の紋様をスクリーン印刷等の方法により印刷して設置し、任意の紋様を保護する為に高摩擦係数を持つ材料で、表面張力を利用して、基材シートの上面全体を被ったシート
(57)【要約】【課題】    従来の収納箱／タックルボックス１には、例えば釣りの場合、疑似餌、オモリ、釣り針、ハサミ、小ナイフなどが詰め込まれる。しかし、図２のようにケミライト１３を装着するケミライト装着箇所１１がなく、暗い闇の中で、片手で懐中電灯を持ちながら、もう片手で収納箱／タックルボックス１を開けたり、中から欲しい道具を取り出したりすることが困難であり、失敗すれば釣り針に刺されたりするので、安全性と利便性が極めて低い。【解決手段】    釣具や小道具など収納するための収納箱／タックルボックス１にて使う仕切りにケミライト装着可能仕切り１０を使用することによって、ケミライト１３を装着可能になり、暗闇の中でも楽々に小道具などを収納箱／タックルボックス１から取り出すことが可能になり、安全性と利便性を向上した。【選択図】図２
0003131928.tif 000002
【実用新案登録請求の範囲】
【請求項１】
釣具や小道具などの収納箱１であり、或いはタックルボックスとも呼ばれる。当該収納箱／タックルボックス１内に、複数の収納小部屋を作るためのケミライト装着可能仕切り１０に、ケミライト１３を装着するための切込みを有するケミライト装着箇所１１を設けることによって、予め用意されたケミライト１３を簡単にケミライト装着可能仕切り１０に装着可能になり、ケミライト１３は発光体であるため、暗闇の中でも楽々に小道具などを取り出せることを特徴とする照明付き収納箱／タックルボックス１である。
【考案の詳細な説明】
【考案の詳細な説明】
【考案が解決しようとする課題】
【０００１】  図１で示すように、従来の収納箱／タックルボックス１には、箱内に複数の従来の仕切り８によって幾つかの収納小部屋が自由に組み合わせられ、各々の収納小部屋にユーザーの好みの小道具や部品などを入れられて置く。釣りの場合、疑似餌、オモリ、針、ハサミなどを収納される。従来の収納箱／タックルボックス１には、図２のようにケミライト１３を装着するケミライト装着箇所１１がなく、暗い闇の中で、片手で懐中電灯を持ちながら、収納箱／タックルボックス１から欲しい道具を取り出すことが困難であり、うっかりすれば釣り針に刺されたりする可能性も十分あるので、安全性と利便性が極めて低い。
【考案が解決するための手段】
【０００２】  そこで、図２のように、収納箱／タックルボックス１の今回考案したケミライト装着可能仕切り１０に、予め用意されたケミライト１３を装着するためのケミライト装着箇所１１を設け、ケミライト１３は２液性の化学反応によって発光するものであり、当該ケミライト装着箇所１１にケミライト１３を装着することによって、暗い闇の中でも常に明るく照明ができることを可能にした。また、図３と図４とで示すように、前記ケミライト装着箇所１１の上部に、ケミライト１３がどんな時でも滑り出ないためのケミライト止め１２を設け、ケミライト１３は当該ケミライト止め１２によってケミライト装着箇所１１にしっかりと保持され、どんな時でも滑り出ることはなく、常に決まった場所で照明し続ける。
【実施例】
【０００３】  図２で示すように、収納箱／タックルボックス１内の全てのケミライト装着可能仕切り１０に、ケミライト装着の凹箇所１１を設けることと、当該ケミライト装着箇所１１の上部にケミライト止め１２を設けることとで、ケミライト１３がしっかりと装着され、どんな時でも滑り出ることはなく、収納箱／タックルボックス１を常に明るく照明する。
【考案の効果】
【０００４】  図２の収納箱／タックルボックス１にケミライト１３を装着することによって、暗い闇の中でも常に照明が可能、収納箱／タックルボックス１内の中身は一目瞭然、必要な時に必要な道具を簡単に取り出すことができ、釣りは一段と安全、便利、且つ楽しくなった。
【図面の簡単な説明】
【図１】従来の収納箱／タックルボックス１を示す立体図である。
【図２】今回考案したケミライト装着箇所１１を有するケミライト装着可能仕切り１０を使用する収納箱／タックルボックス１の立体図である。
【図３】今回考案したケミライト１３の装着可能なケミライト装着箇所１１と、ケミライト装着箇所１１の上部にケミライト止め１２とを有するケミライト装着可能仕切り１０の立体図である。
【図４】本考案のケミライト装着可能仕切り１０にケミライト１３を装着後のイメージずである。
【符号の説明】
１  収納箱／タックルボックス
２  蓋
３Ａ  蓋閉め爪
３Ｂ  蓋閉め爪の引っ掛け
４  長い仕切り
５  壁ガイド
６  壁ガイド
７  床ガイド
８  従来の短い仕切り
９  短い仕切りガイド
１０  ケミライト装着可能仕切り
１１  ケミライト装着箇所
１２  ケミライト止め
１３  ケミライト
【図１】
0003131928.tif 000003
【図２】
0003131928.tif 000004
【図３】
0003131928.tif 000005
【図４】
0003131928.tif 000006
【手続補正書】
【提出日】平成19年1月12日(2007.1.12)
【手続補正１】
【補正対象書類名】実用新案登録請求の範囲
【補正対象項目名】前文
【補正方法】変更
【補正の内容】
【書類名】    実用新案登録請求の範囲
【請求項１】
釣具や小道具などの収納箱で、釣りスポーツにおいてはタックルボックスとも呼ばれ、上記収納箱／タックルボックス１内に複数個の長い仕切り４と発光体のケミライト１３を装着可能仕切り１０と壁ガイド５と壁ガイド６と床ガイド７との組み合わせ手段によって複数個の収納小部屋が作られ、また上記仕切り１０にはケミライト１３をワンタッチで脱着可能な手段を有するため暗闇の中で明るく照明し楽々に小道具などを上記収納箱から取り出せることを特徴とする照明付き収納箱／タックルボックス１である。
(57)【要約】      （修正有）【課題】布で物体を包む際に、その立体的な空間を利用することで物体を保持することができ、更にはその物体の保持のための空間以外の部分の布を保持された物体の大きさや形状に合わせて、包まれた物体の安定度を増すために巻き付けたり折り曲げたりすることが可能であるため、備え付けられた部材がなくとも、十分に安定した保持を可能にする。【解決手段】布の角を折り曲げ、折り曲げた布の同辺を接合することによって、その布自体の間に限定的かつ立体的な空間を作る。【選択図】図１
0003131930.tif 000002
【実用新案登録請求の範囲】
【請求項１】
布の角を折り曲げ、折り曲げた布の同辺を接合することによって作られた空間に物体を入れることで、その物体を保持することを可能にし、残りの部分の布を折り曲げて包むことで、布の中に包んだものを安定させ、様々な大きさ・形状の物体を包むことを可能にしたこと。
【考案の詳細な説明】
【技術分野】
【０００１】  本考案は、物体を包む布に関する。
【背景技術】
【０００２】  物体を布の中で大きく動かないように保持し、包む布には、次のような箸包が提案されている。
【特許文献１】  登録実用新案第３０６０３１５号
【考案の開示】
【考案が解決しようとする課題】
【０００３】  しかしながら、物体を包む布自体に包む布以外の部材を備えつけ、その部材を用いて、布の中で物体を保持することは、備え付けられた部材の仕様や形状によって、保持しながら包むことのできる物体の大きさや形状に制限ができていた。【０００４】  本考案は、このような点に鑑みて成されたものであり、その目的は、物体を包む布に部材を備え付けることなく、布の一部を接合することにより、その布自体に立体的な空間をつくり、その空間を利用して物体を保持することができるとともに、安価且つ容易に様々な大きさや形状の物体を包むことができるようにすることにある。
【課題を解決するための手段】
【０００５】  従って本考案は、布の角を折り曲げ、折り曲げた布の同辺を接合することによって、その布自体の間に限定的かつ立体的な空間を作り、布で物体を包む際に、折り曲げた布の中で限定的に作られた立体的な空間を利用することで物体を保持し、その物体の保持のための空間以外の部分の布を物体に巻き付けることで、布の中に包まれた物体をさらに安定させ、かつ様々な大きさの物体を包むことを提案するものである。
【考案の効果】
【０００６】  以上説明したように本考案によれば、物体を包む布の角を折り曲げ、折り曲げた布の同辺を接合することによって作られた空間によって、包まれた物体を保持することができるようにしたことにより、その物体の保持のための空間以外の部分の布を物体に巻き付けた時に、布の中で安定して物体を保持するのに極めて有効である。
【考案を実施するための最良の形態】
【０００７】  以下、本考案の実施の形態を図面に基づき詳細に説明する。【０００８】  図面を参照して本考案の物体を包む布を説明する。図１に示すように、本考案の物体を包む布は、三角形・四角形・多角形などの角をもつ形状を有する布の角を折り曲げ、折り曲げた布の同辺を接合することによって、布同士で空間を作り出し、その空間を物体を包む際に有効利用するものである。【０００９】  図１に示すように、本考案の物体を包む布においては、布の角を折り曲げ、折り曲げた布の同辺を接合することによって作られた空間によって、布を用いて包むべき物体を布の中で保持することを容易にしている。【００１０】  図２・図３に示すように、本考案の物体を包む布において、その物体の保持のための空間以外の部分の布は、保持された物体の大きさや形状に合わせて、包まれた物体の安定度を増すために巻き付けたり折り曲げたりすることが可能である。
【図面の簡単な説明】
【００１１】
【図１】本考案に係わる物体を包む布（三角形）の概念図
【図２】本考案に係わる物体を包む布（三角形）で物体（箸）を包む際の概念図１
【図３】本考案に係わる物体を包む布（三角形）で物体（箸）を包む際の概念図２
【符号の説明】
【００１２】      １    布（三角形）
２    布の接合部位
３    物体（箸）
【図１】
0003131930.tif 000003
【図２】
0003131930.tif 000004
【図３】
0003131930.tif 000005
【手続補正書】
【提出日】平成19年2月8日(2007.2.8)
【手続補正１】
【補正対象書類名】実用新案登録請求の範囲
【補正対象項目名】請求項  １
【補正方法】変更
【補正の内容】
【請求項１】
布の角を折り曲げ、折り曲げた布の同辺を接合することによって作られた空間に物体を入れることで、その物体を保持することを可能にし、残りの部分を折り曲げて包むことで中に包んだものを安定させ、様々な大きさ・形状の物体を包む布。
【手続補正２】
【補正対象書類名】明細書
【補正対象項目名】０００５
【補正方法】変更
【補正の内容】
【０００５】  従って本考案は、布の角を折り曲げ、折り曲げた布の同辺を接合することによって、その布自体の間に限定的かつ立体的な空間を作り、布で物体を包む際に、折り曲げた布の中で限定的に作られた立体的な空間を利用することで物体を保持し、その物体の保持のための空間以外の部分の布を物体に巻き付けることで、布の中に包まれた物体をさらに安定させ、かつ様々な大きさの物体を包む布の形状を提案するものである。
(57)【要約】      （修正有）【課題】急な大雨やケガ・疾病などにより足部に外的刺激から足部全体を守りたい時等、簡易に足部全体を覆うことができるシューズカバー付きズボンの提供。【解決手段】ズボンにシューズカバーを付け足先と踵まで足全体を覆う構造を一体化させ、必要に応じて簡易にシューズカバーを出し入れ装着出来る形状にすることで課題を解決する。【選択図】図１
0003131944.tif 000002
【実用新案登録請求の範囲】
【請求項１】
ズボンにシューズカバー（図面１〜８のＡ・Ｂ・Ｃ・Ｄ）を付け足先と踵まで足全体を覆う構造。
【考案の詳細な説明】
【技術分野】
【０００１】
本考案は、シューズカバーとズボンに関するものである。
【背景技術】
【０００２】
従来の防寒・防水・防塵その他の為のズボンは、図２のように靴まで覆う構造ではなかった。
よって防寒・防水・防塵その他の為に靴まで覆いたいとしてもシューズカバーと別々に装着しなければならなかった。
【特許文献１】実願２００６−９２４６
【特許文献２】実願２００６−９２４７
【考案の開示】
【考案が解決しようとする課題】
【０００３】
解決しようとする問題点は、防寒・防水・防塵その他の為に靴まで覆いたいとしてもシューズカバーと別々に装着しなければならず煩雑であった点である。
【課題を解決するための手段】
【０００４】
以上の課題を解決するために、ズボンとシューズカバーを一体化させ、必要に応じて簡易にシューズカバーを出し入れ装着出来る形状にすることを特徴とした。
【考案の効果】
【０００５】
本考案は、急な大雨やケガ・疾病などにより足部に外的刺激から足部全体を守りたい時等、簡易に足部全体を覆うという利点がある。
【考案を実施するための最良の形態】
【０００６】
この考案の一実施形態を、図１〜８に示す。
【実施例１】
【０００７】
図１は、ズボンの裾にシューズカバー（図面１〜８のＣのようにナイロンその他の布に滑り防止材を付着させた物）を結合部材で付けておき最下部（図面１〜８のＤ）をゴムその他結束部材で通常は足部膝方向に上げておく。必要に応じシューズカバーを引き出し足部全体を覆う。
【実施例２】
【０００８】
上記図１同様、シューズカバー（図３・５・７のＡのようにナイロンその他の布に滑り防止材を付着させた物）に袋状の布を付けておき、必要に応じて足部を入れる。
【図面の簡単な説明】
【０００９】
【図１】この考案の一実施形態を示す斜視図である。
【図２】従来技術を示す斜視図である。
【図３】この考案の一実施形態を示す展開的斜視図である。
【図４】〔特許文献１〕実願２００６−９２４６の一実施形態を示す展開的斜視図である。
【図５】この考案の一実施形態を示す斜視図である。
【図６】〔特許文献１〕実願２００６−９２４６の一実施形態を示す斜視図である。
【図７】この考案の一実施形態を示す斜視図である。
【図８】〔特許文献２〕実願２００６−９２４７の一実施形態を示す斜視図である。
【符号の説明】
【００１０】
Ａ―――――シューズカバーにする布（袋状）
Ｂ―――――足部及びズボンに装着させるためのゴムやその他結束部材
Ｃ―――――シューズカバーにする布
Ｄ―――――足部及びズボンに装着させるためのゴムやその他結束部材
【図１】
0003131944.tif 000003
【図２】
0003131944.tif 000004
【図３】
0003131944.tif 000005
【図４】
0003131944.tif 000006
【図５】
0003131944.tif 000007
【図６】
0003131944.tif 000008
【図７】
0003131944.tif 000009
【図８】
0003131944.tif 000010
【手続補正書】
【提出日】平成19年3月9日(2007.3.9)
【手続補正１】
【補正対象書類名】実用新案登録請求の範囲
【補正対象項目名】全文
【補正方法】変更
【補正の内容】
【実用新案登録請求の範囲】
【請求項１】
ズボンやレインコートの裾に、足先から踵までを覆い足先まで覆うことが出来る足首の高さ以上ある四角い生地を付け、ズボンやレインコートの裾部を結束部材にて結合もしくは締め付けた構造を持ったシューズカバー付きズボンやレインコートの防水防寒防塵服。
【手続補正２】
【補正対象書類名】明細書
【補正対象項目名】０００６
【補正方法】変更
【補正の内容】
【０００６】
ズボンやレインコートの裾に、足先から踵までを覆い足先まで覆うことが出来る足首の高さ以上ある四角い生地を付け、ズボンやレインコートの裾部を結束部材にて結合もしくは締め付ける。この考案の一実施形態を、図１〜８に示す。
【手続補正３】
【補正対象書類名】明細書
【補正対象項目名】０００７
【補正方法】変更
【補正の内容】
【０００７】
通常のズボン又は両足の片足づつを外側から包み股内側で結合させたズボンやレインコート等の防水防寒防塵服の裾に、ナイロンその他で足先から踵までを覆い足先まで覆うことが出来る足首の高さ以上ある四角い生地のシューズカバー（図面１〜８のＣ）を結合部材で付けておく、その生地の最下部（図面１〜８のＤ）をゴムその他結束部材で通常は足部膝方向に上げておき、必要に応じシューズカバーを引き下げ出し足部全体を覆う。
【手続補正４】
【補正対象書類名】明細書
【補正対象項目名】０００８
【補正方法】変更
【補正の内容】
【０００８】
両足の片足づつを外側から包み股内側で結合させたズボン、レインコート等の防水防寒防塵服（図３・５・６・７・８）、の裾に、ナイロンその他で足先から踵までを覆い足先まで覆うことが出来る足首の高さ以上ある四角い袋状生地のシューズカバー（図３・５・７のＡ）を結合部材で付けておき必要に応じて足首から下をそのシューズカバーに入れる。
(57)【要約】【課題】  従来の泡立て器よりもっと空気を取り入れ滑らかな泡立てが出来るようにする。【解決手段】  従来のループは、針金を用いているものが多く、この考案は平板金をねじり螺旋状にして柄に取り付けた、攪拌すると螺旋に沿って複雑な流れがおき混ざり合い、多くの空気を取り入れ、滑らかな泡立てができる様に考案したのがループを螺旋状にした事である。【選択図】図１
0003131949.tif 000002
【実用新案登録請求の範囲】
【請求項１】
ループを螺旋状にした泡立て器。
【考案の詳細な説明】
【考案の詳細な説明】
【０００１】  通常、針金を使用しているが、この考案は、平板金をねじり螺旋状のループとして柄に複数本取り付けたものである。  ループを螺旋状にした事により攪拌すると螺旋に沿った流れが起き複雑に混ざり合い、螺旋の裏側で空気が多く取り入れられ、滑らかな混ぜ合わせができる様になった。
【背景技術】
【０００２】  従来のループは針金使用している。
【課題を解決するための手段】
【０００３】  従来のループより、より多くの空気を取り入れられるように考案したのが、ループを螺旋状にした事である、攪拌すると螺旋に沿って複雑な流れが起き混ざり合い又螺旋の裏側で空気が多く取り入れられるようになった。
【考案を実施するための最良の形態】
【０００４】  螺旋状にしたループを複数本柄に取り付け組み立てた、泡立て器を攪拌すると螺旋に沿って複雑な流れが起き混ざり合い螺旋の裏側で空気を取り込み、きめ細かく混ぜ合わせられるようなった。
【図面の簡単な説明】
【０００５】
【図１】  泡立て器の斜視図
【図２】  平板金をねじり螺旋状にしたループ
【符号の説明】
１．螺旋状のループ部
２．柄
３．平板金
【図１】
0003131949.tif 000003
【図２】
0003131949.tif 000004
(57)【要約】【課題】        手や指先に力が入らなくて、ひねって開けるのが困難なボトルの蓋を開けるのを補助する。【解決手段】    弱い力でも蓋を開けることが出来るように摩擦力の強いゴムを使い、又シート状にすることにでシートからはみ出さない物であれば、蓋の大小や形状を問わず使用できる。【選択図】図１
0003131986.tif 000002
【実用新案登録請求の範囲】
【請求項１】
ゴム質のシート状平面部をもった蓋開け補助具。
【考案の詳細な説明】
【技術分野】
【０００１】  この考案は、ゴム質のシート状平面部を持った、ひねって開ける蓋の蓋開け用補助具に関するもので、シート状であり摩擦力の強いゴム質を用いることで、シートより小さい蓋であれば大きさ形状を問わず開ける時の力を軽減できるようにしたものである。
【背景技術】
【０００２】  従来、ペットボトルや調味液のボトルの蓋を開けるための補助具はなかった。灯油缶用はあったが、キャプ型でかぶせると隙間が出来て回しにくいし他の物には使えない。
【考案の開示】
【考案が解決しようとする課題】
【０００３】  本考案は、障害や高齢のため手や指先の力が弱くなり、ネジ式でひねって開けるプラスチックボトルやびんの蓋は開けるのに苦労する、以上のような状態をなくすためになされたものである。
【課題を解決するための手段】
【０００４】  エンボス加工をしてあるなど摩擦力の強いゴム質のシート状平面部（１）をもち、紐（２）を付けた蓋開け補助具を考案した。
【考案の効果】
【０００５】  プラスチックボトルやびんなどのひねって開ける蓋が軽い力で開けられ、シート状なのでシート内の大きさであれば、大小や形状を問わず使え台所などにつるしておくだけでなく車に乗せておいたりバックに入れたりと持ち歩く事も容易である。これによって高齢や障害などで手や指先に力が入らない、思うように動かないという人の補助になる。
【考案を実施するための最良の状態】
【０００６】  本考案は、摩擦力の強いゴム質（エンボス加工などをしてあるとなお良い）のシート状平面部（１）をもつ蓋開け補助具であるが、平面部は表と裏を共にゴム質で色違いまたは絵や文字をいれ、表と裏の区別をしやすくする、紐（２）をつける。以上のような構造であるので、汚れのつきやすい物は同一面を使うとよいし、使用場所ごとにフックなどにつるしておいてもよい。
【図面の簡単な説明】
【０００７】
【図１】  本考案の正面図である
【図２】  本考案の使用方法の斜視図である
【符号の説明】
【０００８】    （１）  ゴム質の平面部
（２）  ヒモ
【図１】
0003131986.tif 000003
【図２】
0003131986.tif 000004
(57)【要約】【課題】  ナットにボルトをねじ込む際の、ねじ込みはじめの位置を知ることができるようにする。【解決手段】  目印を有するボルトと、目印を有するナットであって、それぞれの目印をつき合わせることによって、ねじ込みはじめの位置を知ることができることを特徴とする。【選択図】図１
0003131981.tif 000002
【実用新案登録請求の範囲】
【請求項１】
ねじ込みはじめ位置の目安となる目印を有することを特徴とするボルト。
【請求項２】
請求項１記載のボルトの目印と、相対的関係を持つ目印を有することを特徴とするナット。
【考案の詳細な説明】
【技術分野】
【０００１】  本考案は、ボルトおよび、ナットに関するものである。
【背景技術】
【０００２】  従来、ボルトとナットを組み合わせて締め付け固定する構造が、機械や建物など様々な場面で用いられてきた。しかし、ボルトまたはナットに、これまでねじ込みはじめの目安となる目印が付されてこなかった。
【考案の開示】
【考案が解決しようとする課題】
【０００３】  従来のボルトをナットにねじ込む際、締めこむ方向とは一旦逆向きにボルトを回転させてから締めこむか、試行錯誤を繰り返すかして、ねじ込みはじめの位置を探すしかなかった。また、間違った位置からのねじ込みによる、ねじ山の破損も少なからず生じてきた。【０００４】  本考案は、このような問題に鑑みなされたもので、ねじ込みはじめの位置を知ることができる目印を有するボルト及びナットを提供することを目的とするものである。
【課題を解決するための手段】
【０００５】  本考案は、前記目的を達成するために、次の構成を備える。すなわち、ボルトに付された目印と、ナットに付された目印とを付き合わせると、そこがボルトとナットとのねじ込みはじめの位置となるように、ボルトとナットに目印を付けることを特徴とする。
【考案の効果】
【０００６】  上記のように構成された本考案の、ボルト及びナットを用いれば、瞬時にねじ込みはじめの位置を知ることができるため、ボルトやナットで物を固定する作業にかかる時間を短縮することができ、工期短縮、生産効率向上、人件費削減、生産コスト削減、廃棄ロス低減につながる。機械で、その目印を認識できるようにしておけば、ファクトリー・オートメーションにおいて、ねじ回しにかける時間を短縮することもできる。さらに、ねじ山違いによるねじ山の破損を防ぐことができる。特に、ボルトまたはナットのねじ山が破損しても容易にそれらを交換することができないような場合には、この考案の効果は大きい。また、廃棄処分しなければならない破損ごみを減らすことができるので、環境にやさしいボルトとナットとすることができる。【０００７】  なお、ボルトの端のおねじの切り終わり部分に本考案の目印をつけ、ナットの端のめねじの切りはじめの部分に本考案の目印をつけるというように、目印を付ける位置をそれぞれ統一したときは、別の製品ロットのボルトとナットを組み合わせて使用しても、それぞれの目印同士をつき合わせればねじ込みはじめの位置を知ることができるという効果がある。【０００８】  また、なお、付ける目印の材質、形、色、位置などを、目的に応じて様々に設計変更したときは、見なくても手探りでその目印同士を合わせられたり、機械が認識できるような目印をつけることによって積極的にファクトリー・オートメーションにボルトの締め付け作業を組み込ませたりすることができるといった効果がある。
【考案を実施するための最良の形態】
【０００９】  以下、本考案の最良の実施形態を、添付した図に基づいて詳細に説明する。図１は、本考案によるボルト及びナットの斜視図である。ボルト１は六角ボルトであり、ナット４は六角ナットである。ねじ端２は、ボルトのおねじの切り終わりであり、その位置から目印３をボルト上部まで付けてある。ねじ端５は、ナットのめねじの切りはじめであり、その位置から、目印６をナットの上半分につけてある。【００１０】  ボルト１をねじ込みはじめるとき、ねじ端２とねじ端５がちょうど噛み合わさることが必要である。その位置をボルト１およびナット４の両方ともに目印をつけておくことによって、ねじ込みはじめの位置を確実に知ることができる。【００１１】  以上、本考案による最良の実施の形態について述べてきたが、これに限定されるものではなく、多様に設計変更することができる。ボルト、ナットについては六角ボルト、六角ナットとしたが、これに限定されず、さらに、これら基本的な、ねじ山やピッチ、径など、形状も様々に設計変更されるものである。
【実施例】
【００１２】  次に、本考案によるボルトとナットをねじ込むのに要する時間がどれだけ短縮されるかについての実験をおこなったので、その結果について述べる。１センチメートルあたり８らせんを有する、長さ１２ミリメートル、外形７ミリメートル、谷の径６ミリメートルの１条ねじであるボルトと、それに対応するナットを用いて、実験をおこなった。ボルトとナットを離した状態からはじめて、ボルトをナットにねじ込み、正常にねじ込むことができたことを確認してからそれらをはずすという作業を１０回繰り返すのに何秒かかったかをそれぞれ計測した。従来通りの目印のないボルトとナットを用いた場合、上記の作業に平均４８．８秒かかった。これに対し、本考案の目印を有するボルトとナットを用いた場合、平均２６．０秒で済んだ。しかも、後者の方は、ボルトとナットを取り外す作業の時間がほとんどであるから、ねじ込みはじめの位置を目印によって瞬時に見出すことができることによる作業効率は、倍以上といえる。
【図面の簡単な説明】
【００１３】
【図１】  本考案によるボルト及びナットの使用状態を示す斜視図である。
【符号の説明】
【００１４】  １  ボルト
２  ボルト側のおねじの切り終わり
３  ボルトに付した目印
４  ナット
５  ナット側のめねじの切りはじめ
６  ナット側に付した目印
【図１】
0003131981.tif 000003
(57)【要約】【課題】  エレベーターを吊す重りを左右に分け左右のモーターの回転数を変えることによりエレベーターのゴンドラを上下左右に移動させることが出来る昇降機を提供する。【解決手段】ゴンドラ（１）の左右にワイヤー又はチェーン又はベルト（２）を連結し、左右に分けたモーター（３）を介してワイヤー又はチェーン又はベルト（２）の先端に重り（４）を設ける事を特徴とする。【選択図】図１
0003131990.tif 000002
【実用新案登録請求の範囲】
【請求項１】
ゴンドラ（１）の左右にワイヤー又はチェーン又はベルト（２）を連結し、左右に分けたモーター（３）を介してワイヤー又はチェーン又はベルト（２）の先端に重り（４）を設けた上下左右移動エレベーター。
【考案の詳細な説明】
【技術分野】
【０００１】  本考案は昇降機の重りを左右に分けることによりエレベーターのゴンドラを上下左右に移動させる昇降機に関するものである。
【背景技術】
【０００２】従来、上下に移動するエレベーターがあった。
【考案の開示】
【考案が解決しようとする課題】
【０００３】  これは上下にしか動かないという欠点があった。本考案はこの欠点をなくす為になされたものである。
【課題を解決するための手段】
【０００４】  ゴンドラ（１）の左右にワイヤー又はチェーン又はベルト（２）を連結し、左右に分けたモーター（３）を介してワイヤー又はチェーン又はベルト（２）の先端に重り（４）を設ける。
以上の構成によりなる上下左右移動エレベーターである。
【考案の効果】
【０００５】ゴンドラを支えるワイヤー又はチェーン又はベルトが左右にある為ゴンドラを上下左右に動かせる事が出来る。
【考案を実施するための最良の形態】
【０００６】以下、本考案の実施例について説明する。
ゴンドラ（１）の左右にワイヤー又はチェーン又はベルト（２）を連結し、左右に分けたモーター（３）を介してワイヤー又はチェーン又はベルト（２）の先端に重り（４）を設ける。
本考案は以上のような構成でこれを使用するときは左右のモーター（３）の回転数を変えることによってゴンドラ（１）を上下左右に移動させる事が出来る。
【図面の簡単な説明】
【０００７】
【図１】本考案の斜視図である。
【符号の説明】
【０００８】  １  ゴンドラ
２  ワイヤー又はチェーン又はベルト
３  モーター
４  重り
５  ジャイロ
【図１】
0003131990.tif 000003